(57)【要約】      （修正有）【課題】簡単な方法で容易かつ安価に製造でき、しかも接地側皮革層の耐久性が十分に向上する履物底を提供する。【解決手段】接地側皮革層８を有する履物底において、前記接地側皮革層８の少なくとも接地面に耐摩耗性を有する保護層１２を設ける。保護層１２は前記接地側皮革層８に対する密着性と粘り性とを有する保護皮膜１３により形成する。この保護皮膜１３は粉状、粒状、粉粒状等の弾性細片１５とバインダであるウレタン樹脂系塗料との混練物を塗工し硬化させて形成したものであって、略均等に分散する前記細片１５がウレタン樹脂系塗料１６の皮膜１８により覆われた粗面状である。【選択図】図４
0003154539.tif 000002
【実用新案登録請求の範囲】
【請求項１】
接地側皮革層８を有する履物底において、前記接地側皮革層８の少なくとも接地面９に耐摩耗性を有する保護層１２を塗工形成したことを特徴とする履物底。
【請求項２】
前記保護層１２は前記接地側皮革層８に対する密着性と粘り性とを有する保護皮膜１３であることを特徴とする請求項１に記載の履物底。
【請求項３】
前記保護皮膜１３は粉状、粒状、粉粒状等の細片１５とバインダ１６との混練物１７を塗工し硬化させて形成されており、略均等に分散する前記細片１５が前記バインダ１６の皮膜１８により覆われた粗面状であることを特徴とする請求項２に記載の履物底。
【請求項４】
前記細片はゴム細片等の弾性細片１５であることを特徴とする請求項３に記載の履物底。
【請求項５】
前記バインダはウレタン樹脂系塗料１６であることを特徴とする請求項３又は４に記載の履物底。
【考案の詳細な説明】
【技術分野】
【０００１】
本考案は、接地側皮革層を有する履物底に関するものである。
【背景技術】
【０００２】
野球用のスパイクシューズ等の履物には、高級感を出すと同時に履き心地をよくするために、履物底の接地側に天然皮革、合成皮革等の皮革層を設けたものがある。例えばスパイクシューズの靴底には、合成樹脂製又はゴム製の主体層を備え、この主体層の上側及び接地側に天然皮革又は合成皮革の皮革層を設け、その接地側皮革層の接地面側にスパイク金具を装着したものがある。
【０００３】
この種の接地側皮革層を有する靴底において、接地面側に塗装を施しただけの皮革材を接地側皮革層として使用すれば、接地側皮革層の耐摩耗性が悪く比較的短期間の使用で皮革材の表面の塗装が剥げ落ちる等、耐久性に欠けるという問題がある。
【０００４】
そこで、合成樹脂製又はゴム製の主体層と一体に補強部を形成して、その補強部により接地側皮革層を補強するようにしたものが提案されている（特許文献１）。補強部には接地側皮革層の全外周側に設けられた外周補強部と、接地側皮革層の中間部分に設けられた中間補強部とがあり、その外周補強部、中間補強部が接地側皮革層の接地面と略面一状又は接地面から下側に突出する突出状に設けられている。
【先行技術文献】
【特許文献】
【０００５】
【特許文献１】特開２００７−２２９４３４号公報
【考案の概要】
【考案が解決しようとする課題】
【０００６】
しかし、このような靴底では、接地側皮革層を補強する外周補強部、中間補強部を合成樹脂製又はゴム製の主体層と一体に形成しているため、製造に際しては、接地側皮革層用の皮革材を金型内にセットして合成樹脂又はゴムにより主体層を射出成型する必要があり、製造装置の大型化等に伴って製造コストが大幅にアップする欠点がある。
【０００７】
しかも合成樹脂製又はゴム製の主体層を備えていない靴底には採用できず、また外周補強部と中間補強部とにより接地側皮革層を補強するとは云え、外周補強部と中間補強部との間では接地側皮革層が地面に接地するため、その部分での接地側皮革層の損傷は依然として防止できない欠点がある。
【０００８】
更に中間補強部は接地側皮革層の開口から接地面側に露出するように主体層と一体に形成するため、接地側皮革層に開口を設けることが不可欠となり、その開口部分で中間補強部と接地側皮革層とが剥離する等の惧れもある。
【０００９】
本考案は、このような従来の課題に鑑み、簡単な方法で容易かつ安価に製造でき、しかも接地側皮革層の耐久性を十分に向上させることができる履物底を提供することを目的とする。
【課題を解決するための手段】
【００１０】
本考案は、接地側皮革層８を有する履物底において、前記接地側皮革層８の少なくとも接地面９に耐摩耗性を有する保護層１２を塗工形成したものである。
【００１１】
前記保護層１２は前記接地側皮革層８に対する密着性と粘り性とを有する保護皮膜１３であることが望ましい。また前記保護皮膜１３は粉状、粒状、粉粒状等の細片１５とバインダ１６との混練物１７を塗工し硬化させて形成されており、略均等に分散する前記細片１５が前記バインダ１６の皮膜１８により覆われた粗面状であることが望ましい。前記細片はゴム細片等の弾性細片１５でもよい。また前記バインダはウレタン樹脂系塗料１６であることが望ましい。
【考案の効果】
【００１２】
本考案では、接地側皮革層８を有する履物底において、前記接地側皮革層８の少なくとも接地面９に耐摩耗性を有する保護層１２を塗工形成しているため、簡単な方法で容易かつ安価に製造でき、しかも接地側皮革層の耐久性を十分に向上させることができる利点がある。
【図面の簡単な説明】
【００１３】
【図１】本考案の第１の実施形態を示すスパイクシューズの破断側面図である。
【図２】同接地側皮革層の底面図である。
【図３】同接地側皮革層の断面図である。
【図４】同保護皮膜の拡大断面図である。
【図５】同加工工程を示すブロック図である。
【図６】本考案の第２の実施形態を示す接地側皮革層の拡大断面図である。
【考案を実施するための形態】
【００１４】
以下、本考案の各実施形態を図面に基づいて詳述する。図１〜図５は野球用のスパイクシューズ１に採用した場合の本考案の第１の実施形態を例示する。このスパイクシューズ１は、図１に示すように靴底２と甲部３とを備え、靴底２の接地面にスパイク金具（図示省略）が設けられている。靴底２は下底４と中底５とを有する。甲部３の下縁部は下底４と中底５との間に挟み込んだ状態で縫着、接着等により靴底２に連結されている。
【００１５】
下底４は合成樹脂製、ゴム製等の主体層６と、主体層６の上面の内側皮革層７と、主体層６の接地側の接地側皮革層８とを備え、互いに縫着、接着等により接合されている。内側皮革層７と接地側皮革層８は天然皮革（本革）又は合成皮革の皮革製である。なお、下底４は主体層６と内側皮革層７と接地側皮革層８との三層構造でもよいし、内側皮革層７と接地側皮革層８との二層構造でもよい。また主体層６は合成樹脂製、ゴム製以外のものでもよい。
【００１６】
接地側皮革層８は本革等の皮革材により構成されている。接地側皮革層８には、図２、図３に示すように、接地面９の外周縁近傍に縫着用等の溝１０が形成されると共に、溝１０の内面を含む接地面９と、この接地面９を取り囲む肉厚分の外周面１１との略全面に、耐摩耗性を有する保護層１２が形成されている。
【００１７】
保護層１２は伸縮性を有する保護皮膜１３により構成されている。保護皮膜１３は図５に示すように弾性細片１５とウレタン樹脂系塗料１６との混練物１７を皮膜状に塗工し硬化させたものであって、略均等に分散する弾性細片１５と、これを覆うウレタン樹脂系塗料１６の皮膜１８とにより構成され、細かい凹凸が無数にできた粗面状を呈している。なお、ウレタン樹脂系塗料１６は硬化後も密着性及び粘り性を有する。
【００１８】
弾性細片１５には廃タイヤのゴム部分を粉状、粒状又は粉粒状に粉砕又は破砕した廃タイヤゴム細片等のゴム細片が使用されている。ウレタン樹脂系塗料１６はバインダの一例であり、このウレタン樹脂系塗料１６は硬化後の耐摩耗性に加えてたわみ性がよく密着性及び粘り性に優れ、しかも耐候性、耐水性、耐薬品性、耐油性に優れた性質を有する。
【００１９】
ウレタン樹脂系塗料１６には例えば水性ウレタン樹脂塗料、一液型ウレタン樹脂塗料、二液型ウレタン樹脂塗料、水性反応硬化型ウレタン樹脂塗料等があり、その何れを使用してもよいが、作業性等を考慮すれば水性ウレタン樹脂塗料が適当である。ウレタン樹脂系塗料１６は黒等の適宜色の顔料を含むものでもよいし、顔料を含まないものでもよい。
【００２０】
弾性細片１５として廃タイヤゴム細片１５ａを使用して接地側皮革層８の接地面９等に保護皮膜１３を形成する場合には、図５に示すようにする。先ず廃タイヤのゴム部分を千μ以下、例えば数十μ〜数百μ程度の大きさに粉砕して廃タイヤゴム細片１５ａを得る。次いで、廃タイヤゴム細片１５ａとウレタン樹脂系塗料１６とを適宜割合で配合し混練した後、その混練物１７を吹き付けガンに充填して、接地側皮革層８の接地面９等の略全面に混練物１７を略均一に吹き付けることにより、接地側皮革層８の接地面９等の表面に塗工する。なお、吹き付けガン以外の手段により吹き付けてもよい。
【００２１】
その後、所定の硬化時間を置いてウレタン樹脂系塗料１６を硬化させると、廃タイヤゴム細片１５ａが略均等に分散され、その廃タイヤゴム細片１５ａが薄いウレタン樹脂系塗料１６の皮膜１８によりコーティングされた、全体として梨子地様の粗面状の保護皮膜１３を接地側皮革層８の接地面９等に形成することができる。
【００２２】
このようにすれば、次のような利点がある。即ち、接地側皮革層８の接地面９等に耐摩耗性を有する保護層１２を塗工形成しているため、接地側皮革層８を補強する補強部を主体層６と一体に設ける従来に比較して、接地側皮革層８に容易且つ安価に保護層１２を形成でき、しかも接地側皮革層８に開口を形成する等の必要もなく、接地側皮革層８の接地面９側の耐久性を著しく向上させることができる。
【００２３】
また保護層１２は接地側皮革層８に対する密着性と粘り性とを有する薄い保護皮膜１３により構成しているため、接地側皮革層８の形態に大きな影響を与えることなく保護層１２の全体を薄く仕上げることができる他、接地側皮革層８からの保護層１２の剥離を防止できると共に、接地側皮革層８の変形に保護層１２が自由に追従でき、接地側皮革層８の変形性が低下したり、保護層１２に亀裂が生じたりする等の問題も発生しない。
【００２４】
更に保護皮膜１３は粉状、粒状、粉粒状等の弾性細片１５とウレタン樹脂系塗料１６との混練物１７を塗工し硬化させたものであり、略均等に分散する弾性細片１５がウレタン樹脂系塗料１６の皮膜１８により覆われた粗面状であるため、接地側皮革層８に対する保護皮膜１３の加工が容易であり、また接地側皮革層８の接地面９側の仕上がりが良好になる利点がある。しかも保護皮膜１３により接地側皮革層８の接地面９の摩擦力が増大するため、滑り等を防止することができる。
【００２５】
また接地側皮革層８の表面にウレタン樹脂系塗料１６を塗工して硬化させており、十分な粘り性を有するウレタン樹脂系塗料１６の一部が接地側皮革層８の表面側の繊維組織内に浸透して絡まった状態となっているため、保護皮膜１３を接地側皮革層８の表面に確実に結合できその剥離等を防止できる。
【００２６】
しかもゴム細片等の弾性細片１５を使用しているので、保護皮膜１３に適度な弾性を持たせることができ、弾性のない細片を使用する場合に比較して保護皮膜１３の劣化を極力防止できる。
【００２７】
更にウレタン樹脂系塗料１６をバインダとして使用するため、保護皮膜１３の接地側皮革層８に対する密着性、保護皮膜１３自体のたわみ性等が更に向上し、製造コストも他のシリコン樹脂系塗料等を使用する場合に比較して安価にできる。特に弾性細片１５として廃タイヤゴム細片１５ａを使用することにより、資源の無駄を防止でき、しかも製造コストを更に低減することができる。
【００２８】
図６は本考案の第２の実施形態を例示する。この実施形態では、接地側皮革層８の溝１０を含む接地面９の略全面に保護皮膜１３が設けられ、接地側皮革層８の外周面１１は黒の塗料により塗装されている。接地側皮革層８の接地面９の略全面に保護皮膜１３を形成するだけでもよい。
【００２９】
以上、本考案の実施形態について詳述したが、本考案は実施形態に限定されるものではない。例えば、実施形態では野球用のスパイクシューズ１の靴底２に採用した場合を例示しているが、本考案は野球用以外の各種のスポーツ用のスパイクシューズ１の靴底２にも採用可能であるし、スパイクシューズ１以外の各種の靴の靴底２にも採用可能である。また靴に限らず、草履その他の履物全般の履物底にも採用可能である。
【００３０】
また接地側皮革層８に対する保護層１２は、１個の接地側皮革層８に適する大きさに裁断された皮革材の段階、複数個分の大きさを有する原反の段階の何れで形成してもよいし、１個の接地側皮革層８の大きさに略加工し終えた後に形成してもよい。接地側皮革層８は本革である他、合成皮革を使用してもよい。
【００３１】
保護皮膜１３中の細片には、それを覆うバインダの皮膜の損傷を少なくするためにはゴム細片等の弾性細片１５を用いることが望ましいが、ゴム細片等の弾性細片１５以外の合成樹脂製細片を用いてもよい。また弾性細片１５としては、廃タイヤゴム細片１５ａがコスト的に有利であるが、それ以外のものでもよい。
【００３２】
バインダはウレタン樹脂系塗料１６が適当であるが、耐摩耗性、密着性、たわみ性を有し、細片１５と混練して接地側皮革層８に塗工したときに、その細片１５を覆う皮膜１８を形成できるものであれば、他の樹脂系塗料又は樹脂系接着剤等を使用することも可能である。
【００３３】
更に保護層１２は細片１５とウレタン樹脂系塗料１６との混練物１７を塗工して形成する他、ウレタン樹脂系塗料１６のみを塗工して形成してもよい。特に接地側皮革層８自体の接地面９側が凹凸状の場合には、その接地面９側にウレタン樹脂系塗料１６を塗工して保護層１２を形成してもよい。またウレタン樹脂系塗料１６等のバインダに廃タイヤゴムの微粉状の細片を配合して凹凸の少ない保護皮膜１３を形成してもよい。
【００３４】
保護層１２の形成に際しては、弾性細片１５とウレタン樹脂系塗料１６等のバインダとの混練物１７を吹き付けガン等により接地側皮革層８の表面に吹き付けて薄い保護皮膜１３を形成することが望ましいが、ブラシ等の塗工手段を用いて塗工してもよい。
【符号の説明】
【００３５】
８  接地側皮革層
９  接地面
１２  保護層
１３  保護皮膜
１５  弾性細片
１５ａ  廃タイヤゴム細片
１６  ウレタン樹脂系塗料（バインダ）
１７  混練物
１８  皮膜
【図１】
0003154539.tif 000003
【図２】
0003154539.tif 000004
【図３】
0003154539.tif 000005
【図４】
0003154539.tif 000006
【図５】
0003154539.tif 000007
【図６】
0003154539.tif 000008